(57)【特許請求の範囲】
【請求項１】
リース会社のサーバー及び金融機関の端末を有してなり、
前記金融機関の端末は、
自動車の、車種毎の、車両取得価格、値引額、税抜の値引後価格、リース期間満了後のリース残価、及び、通常リース、前記通常リースよりも手数料を少なくした新リースの各々の月次支払額及び、ローン元本の各情報、を含むリース・ローン情報を記憶するリース・ローン情報記憶手段と、
ユーザーが選択した車種に対応するリース・ローン情報のうち、新リースに関する情報を前記リース・ローン情報記憶手段から読み出し、該読み出した前記新リースに関する情報に基づいて、前記新リースによるリース料総額を前記ユーザーに対する給付額とする金銭消費貸借契約案を作成する金銭消費貸借契約案作成手段と、
この金銭消費貸借契約案の情報及び前記読み出した新リースに関する情報を含む新契約情報を記憶する新契約情報記憶手段と、
この記憶された新契約情報を読み出して、前記リース会社のサーバーに送信する新契約情報送信手段と、
を有し、
前記リース会社のサーバーは、
前記新契約情報を受け取って記憶する受取契約情報記憶手段と、
前記受取契約情報記憶手段に記憶された前記新契約情報を読み出して、該新契約情報に基づいて、前記リース料総額を預り金として処理し、この預り金から、リース料相当額を支払い期限毎にリース料収入に振り替えるようにした、前記ユーザーと前記リース会社との間のリース契約案を作成するリース契約案作成手段と、
前記リース契約案の情報を記憶するリース契約案記憶手段と、
このリース契約案記憶手段から、前記リース契約案情報を読み出して、当該車種の自動車について、納車先を前記ユーザーとして、前記自動車を扱う自動車ディーラーへの自動車発注情報を作成する自動車発注情報作成手段と、
前記自動車発注情報を記憶する自動車発注情報記憶手段と、
を有することを特徴とする自動車リース・ローン複合契約実行システム。
【請求項２】
請求項１において、
前記自動車ディーラーのディーラー端末を有してなり、
前記リース会社のサーバーは、前記記憶された自動車発注情報を読み出して、前記ディーラー端末へ送信する自動車発注情報送信手段を有し、このディーラー端末は、前記リース会社のサーバーが送信した前記自動車発注情報を受け取って受注情報として記憶する自動車受注情報記憶手段と、この受注情報を読み出して、前記ユーザーへの納車スケジュールを作成する納車スケジュール作成手段と、
を有することを特徴とする自動車リース・ローン複合契約実行システム。
【請求項３】
請求項１または２において、
前記金融機関の端末は、前記ユーザーのローン支払の停止を含む債権事故の情報を受け付けて記憶する事故情報記憶手段と、前記事故情報記憶手段が記憶した事故情報を読み出して前記リース会社のサーバーに送信する事故情報送信手段と、を有し、
前記リース会社のサーバーは、前記事故情報送信手段からの事故情報を受取って記憶する受取事故情報記憶手段と、前記記憶された事故情報を読み出して、前記自動車を前記ユーザーから引き揚げて、これを売却し、且つ、売却代金によるリースの設定残価への充当、前記ユーザーの未払いローン債務への充当及びユーザーへの返金をこの順で実行するための回収・売却手続情報を作成する事故時回収・売却手続情報作成手段と、
を有することを特徴とする自動車リース・ローン複合契約実行システム。
【請求項４】
請求項１乃至３のいずれかにおいて、
前記リース会社のサーバーは、前記ユーザーからの、前記自動車のリース期間満了前の早期返却の申込みを入力する早期返却申込み情報受付手段と、この早期返却申込み情報受付手段により入力された前記早期返却申込みに係る情報を記憶する早期返却申込み情報記憶手段と、この記憶された早期返却申込み情報を前記金融機関の端末に送信する早期返却情報送信手段と、
を有し、
前記金融機関の端末は、前記早期返却情報送信手段が送信した早期返却申込み情報を受取って、早期返却情報として記憶する早期返却情報記憶手段と、この早期返却情報記憶手段に記憶された早期返却情報に基づいて、前記ユーザーに対して、ローン残金の一括返済を請求する一括返済請求書案を作成する一括返済請求書案作成手段と、
を有することを特徴とする自動車リース・ローン複合契約実行システム。
【請求項５】
請求項４において、
前記リース会社のサーバーは、前記早期返却申込み情報記憶手段に記憶された前記早期返却申込み情報を読み出して、前記自動車を前記ユーザーから引き揚げて、これを売却し、且つ、売却代金によるリースの設定残価への充当及びユーザーへの返金をこの順で実行するための回収・売却手続情報を作成する早期返却時回収・売却手続情報作成手段と、を有することを特徴とする自動車リース・ローン複合契約実行システム。
【請求項６】
リース会社のサーバー、金融機関の端末、及び、転リース会社の端末を有してなり、
前記金融機関の端末は、
自動車の、車種毎の、車両取得価格、値引額、税抜の値引後価格、リース期間満了後のリース残価、及び、通常リース、前記通常リースよりも手数料を少なくした新リースの各々の月次支払額及び、ローン元本の各情報、を含むリース・ローン情報を記憶するリース・ローン情報記憶手段と、
ユーザーが選択した車種に対応するリース・ローン情報のうち、新リースに関する情報を前記リース・ローン情報記憶手段から読み出し、該読み出した前記新リースに関する情報に基づいて、前記新リースによるリース料総額を前記ユーザーに対する給付額とする金銭消費貸借契約案を作成する金銭消費貸借契約案作成手段と、
この金銭消費貸借契約案の情報及び前記読み出した新リースに関する情報を含む新契約情報を記憶する新契約情報記憶手段と、
この記憶された新契約情報を読み出して、前記転リース会社の端末に送信する新契約情報送信手段と、
を有し、
前記転リース会社の端末は、
前記新契約情報を受け取って記憶する受取契約情報記憶手段と、
前記受取契約情報記憶手段に記憶された前記新契約情報を読み出して、該新契約情報に基づいて、前記リース料総額を預り金として処理し、この預り金から、リース料相当額を支払い期限毎にリース料収入に振り替えるようにした、前記ユーザーと前記転リース会社との間の転リース契約案を作成する転リース契約案作成手段と、
前記転リース契約案の情報を記憶する転リース契約案記憶手段と、
この転リース契約案記憶手段から、前記転リース契約案情報を読み出して、前記リース会社のサーバーに送信する転リース契約案情報送信手段と、
を有し、
前記リース会社のサーバーは、
前記転リース契約案情報送信手段から受け取った転リース契約案の情報を記憶する転リース契約案情報記憶手段と、前記記憶された転リース契約案情報を読み出して、該情報に基づいて、前記リース料総額を預り金として処理し、この預り金から、リース料相当額を支払い期限毎にリース料収入に振り替えるようにした、前記転リース会社とリース会社との間のリース契約案を作成するリース契約案作成手段と、
このリース契約案の情報を記憶するリース契約案記憶手段と、
前記記憶されたリース契約案の情報を読み出して、当該車種の自動車について、納車先を前記ユーザーとして、前記自動車を扱う自動車ディーラーへの自動車発注情報を作成する自動車発注情報作成手段と、
前記自動車発注情報を記憶する自動車発注情報記憶手段と、
を有することを特徴とする自動車リース・ローン複合契約実行システム。
【請求項７】
請求項６において、
前記自動車ディーラーのディーラー端末を有してなり、
前記リース会社のサーバーは、前記自動車発注情報記憶手段に記憶された前記自動車発注情報を読み出して、前記ディーラー端末へ送信する自動車発注情報送信手段を有し、このディーラー端末は、前記リース会社のサーバーが送信した前記自動車発注情報を受け取って受注情報として記憶する自動車受注情報記憶手段と、この受注情報を読み出して、前記ユーザーへの納車スケジュールを作成する納車スケジュール作成手段と、
を有することを特徴とする自動車リース・ローン複合契約実行システム。
【請求項８】
請求項６または７において、
前記金融機関の端末は、前記ユーザーのローン支払の停止を含む債権事故の情報を受け付けて記憶する事故情報記憶手段と、前記事故情報記憶手段が記憶した事故情報を読み出して前記リース会社のサーバーに送信する事故情報送信手段と、を有し、
前記リース会社のサーバーは、前記事故情報送信手段から受け取った事故情報を記憶する受取事故情報記憶手段と、前記記憶された受取事故情報を読み出して、前記自動車を前記ユーザーから引き揚げて、これを売却し、且つ、売却代金によるリースの設定残価への充当、前記ユーザーの未払いローン債務への充当及びユーザーへの返金をこの順で実行するための回収・売却手続情報を作成する事故時回収・売却手続情報作成手段と、
を有することを特徴とする自動車リース・ローン複合契約実行システム。
【請求項９】
請求項６乃至８のいずれかにおいて、
前記転リース会社の端末は、前記ユーザーからの、前記自動車のリース期間満了前の早期返却の申込みを入力する早期返却申込み情報受付手段と、この早期返却申込み情報受付手段により入力された前記早期返却申込みに係る情報を記憶する早期返却申込み情報記憶手段と、この記憶された早期返却申込み情報を前記金融機関の端末及び前記リース会社のサーバーに送信する早期返却情報送信手段と、
を有し、
前記金融機関の端末は、前記早期返却情報送信手段が送信した早期返却申込み情報を受取って、早期返却情報として記憶する早期返却情報記憶手段と、この早期返却情報記憶手段に記憶された早期返却情報に基づいて、前記ユーザーに対して、ローン残金の一括返済を請求する一括返済請求書案を作成する一括返済請求書案作成手段と、
を有し、前記リース会社のサーバーは、前記早期返却情報送信手段が送信した早期返却申込み情報を受取って、早期返却情報として記憶する早期返却情報記憶手段と、を有することを特徴とする自動車リース・ローン複合契約実行システム。
【請求項１０】
請求項９において、
前記リース会社のサーバーは、前記早期返却情報記憶手段に記憶された前記早期返却情報を読み出して、前記自動車を前記ユーザーから引き揚げて、これを売却し、且つ、売却代金によるリースの設定残価への充当及びユーザーへの返金をこの順で実行するための回収・売却手続情報を作成する早期返却時回収・売却手続情報作成手段と、を有することを特徴とする自動車リース・ローン複合契約実行システム。
【請求項１１】
請求項１乃至１０のいずれかにおいて、
前記自動車発注情報作成手段は、前記自動車発注情報の作成の際に、前記ユーザー、車種を含むメンテナンス情報を作成し、前記リース会社のサーバーは、前記作成されたメンテナンス情報を記憶するメンテナンス情報記憶手段と、この記憶されたメンテナンス情報を読み出して、メンテナンススケジュールを作成するメンテナンススケジュール作成手段と、を有してなることを特徴とする自動車リース・ローン複合契約実行システム。
【発明の詳細な説明】
【技術分野】
【０００１】
この発明は、自動車のリース及び金融機関ローンを組み合わせて、両者の利点を持つ商品とした新しいタイプの金融商品をもたらす自動車リース・ローン複合契約実行システムに関する。
【背景技術】
【０００２】
特許文献１には、リース管理装置として、リース契約、リース検収、再リース契約、物件処分等の処理をコンピュータの画面上で一元的に実行可能としたものが開示されている。
【０００３】
また特許文献２及び３には、通信網を利用することによって、リース車両に関する情報をユーザーに効率よく提供できるようにしたものが開示されている。
【先行技術文献】
【特許文献】
【０００４】
【特許文献１】特開２０００−３４８２５７号公報
【特許文献２】特開２００１−３３１５６３号公報
【特許文献３】特開２００３−２９６５９１号公報
【発明の概要】
【発明が解決しようとする課題】
【０００５】
上記のように、リース契約や物件処分等の処理をコンピュータの画面上で実行可能とするシステムを用いれば、ユーザーからのリース申込みから納車までの期間を短縮することができる。
【０００６】
ここで、近年、自動車リースは、法人から個人にそのユーザー層が拡大しているが、リース会社にとって、増加する個人ユーザーの信用調査の負担が大きくなり、リース申込みから納車までの期間を短縮することが困難となってきている。
【０００７】
一方、金融機関（銀行、信用金庫、信販会社等）は、それぞれ個人向け融資のノウハウを持っていて、信用調査は短期間で可能であるが、金融機関は原則として個人ユーザーとリース契約をすることができないとされている。
【０００８】
この発明は上記従来の問題点に鑑みてなされたものであって、金融機関がそのユーザーにリース料総額に相当する金員を貸し付ける金銭消費貸借契約を当該ユーザーと結び、ユーザーは、リース会社に対して金融機関から借り受けた金員を全額リース会社に支払い、リース会社は、これを一括して預り金として受け取り、ここからリース料相当額を支払期限毎にリース料収入に振り替えるようにして、金融機関の個人向け融資のノウハウと、リース会社による手数料を少なくした新しい自動車リース（新リース）を組み合わせてなり、リースとローンの利点を兼ね備えた自動車リース・ローン複合契約実行システムを提供することを課題とする。新リースは、信用調査やリース料回収の費用を不要とすることにより手数料を低減することができる。
【課題を解決するための手段】
【０００９】
上記課題は次の本発明の実施例によって解決される。
【００１０】
（１）リース会社のサーバー及び金融機関の端末を有してなり、前記金融機関の端末は、自動車の、車種毎の、車両取得価格、値引額、税抜の値引後価格、リース期間満了後のリース残価、及び、通常リース、前記通常リースよりも手数料を少なくした新リースの各々の月次支払額及び、ローン元本の各情報、を含むリース・ローン情報を記憶するリース・ローン情報記憶手段と、ユーザーが選択した車種に対応するリース・ローン情報のうち、新リースに関する情報を前記リース・ローン情報記憶手段から読み出し、該読み出した前記新リースに関する情報に基づいて、前記新リースによるリース料総額を前記ユーザーに対する給付額とする金銭消費貸借契約案を作成する金銭消費貸借契約案作成手段と、この金銭消費貸借契約案の情報及び前記読み出した新リースに関する情報を含む新契約情報を記憶する新契約情報記憶手段と、この記憶された新契約情報を読み出して、前記リース会社のサーバーに送信する新契約情報送信手段と、を有し、前記リース会社のサーバーは、前記新契約情報を受け取って記憶する受取契約情報記憶手段と、前記受取契約情報記憶手段に記憶された前記新契約情報を読み出して、該新契約情報に基づいて、前記リース料総額を預り金として処理し、この預り金から、リース料相当額を支払い期限毎にリース料収入に振り替えるようにした、前記ユーザーと前記リース会社との間のリース契約案を作成するリース契約案作成手段と、前記リース契約案の情報を記憶するリース契約案記憶手段と、このリース契約案記憶手段から、前記リース契約案情報を読み出して、当該車種の自動車について、納車先を前記ユーザーとして、前記自動車を扱う自動車ディーラーへの自動車発注情報を作成する自動車発注情報作成手段と、前記自動車発注情報を記憶する自動車発注情報記憶手段と、を有することを特徴とする自動車リース・ローン複合契約実行システム。
【００１１】
（２）前記自動車ディーラーのディーラー端末を有してなり、前記リース会社のサーバーは、前記記憶された自動車発注情報を読み出して、前記ディーラー端末へ送信する自動車発注情報送信手段を有し、このディーラー端末は、前記リース会社のサーバーが送信した前記自動車発注情報を受け取って受注情報として記憶する自動車受注情報記憶手段と、この受注情報を読み出して、前記ユーザーへの納車スケジュールを作成する納車スケジュール作成手段と、を有することを特徴とする（１）に記載の自動車リース・ローン複合契約実行システム。
【００１２】
（３）前記金融機関の端末は、前記ユーザーのローン支払の停止を含む債権事故の情報を受け付けて記憶する事故情報記憶手段と、前記事故情報記憶手段が記憶した事故情報を読み出して前記リース会社のサーバーに送信する事故情報送信手段と、を有し、前記リース会社のサーバーは、前記事故情報送信手段からの事故情報を受取って記憶する受取事故情報記憶手段と、前記記憶された事故情報を読み出して、前記自動車を前記ユーザーから引き揚げて、これを売却し、且つ、売却代金によるリースの設定残価への充当、前記ユーザーの未払いローン債務への充当及びユーザーへの返金をこの順で実行するための回収・売却手続情報を作成する事故時回収・売却手続情報作成手段と、を有することを特徴とする（１）または（２）に記載の自動車リース・ローン複合契約案作成システム。
【００１３】
（４）前記リース会社のサーバーは、前記ユーザーからの、前記自動車のリース期間満了前の早期返却の申込みを入力する早期返却申込み情報受付手段と、この早期返却申込み情報受付手段により入力された前記早期返却申込みに係る情報を記憶する早期返却申込み情報記憶手段と、この記憶された早期返却申込み情報を前記金融機関の端末に送信する早期返却情報送信手段と、を有し、前記金融機関の端末は、前記早期返却情報送信手段が送信した早期返却申込み情報を受取って、早期返却情報として記憶する早期返却情報記憶手段と、この早期返却情報記憶手段に記憶された早期返却情報に基づいて、前記ユーザーに対して、ローン残金の一括返済を請求する一括返済請求書案を作成する一括返済請求書案作成手段と、を有することを特徴とする（１）乃至（３）のいずれかに記載の自動車リース・ローン複合契約実行システム。
【００１４】
（５）前記リース会社のサーバーは、前記早期返却申込み情報記憶手段に記憶された前記早期返却申込み情報を読み出して、前記自動車を前記ユーザーから引き揚げて、これを売却し、且つ、売却代金によるリースの設定残価への充当及びユーザーへの返金をこの順で実行するための回収・売却手続情報を作成する早期返却時回収・売却手続情報作成手段と、を有することを特徴とする（４）に記載の自動車リース・ローン複合契約実行システム。
【００１５】
（６）リース会社のサーバー、金融機関の端末、及び、転リース会社の端末を有してなり、前記金融機関の端末は、自動車の、車種毎の、車両取得価格、値引額、税抜の値引後価格、リース期間満了後のリース残価、及び、通常リース、前記通常リースよりも手数料を少なくした新リースの各々の月次支払額及び、ローン元本の各情報、を含むリース・ローン情報を記憶するリース・ローン情報記憶手段と、ユーザーが選択した車種に対応するリース・ローン情報のうち、新リースに関する情報を前記リース・ローン情報記憶手段から読み出し、該読み出した前記新リースに関する情報に基づいて、前記新リースによるリース料総額を前記ユーザーに対する給付額とする金銭消費貸借契約案を作成する金銭消費貸借契約案作成手段と、この金銭消費貸借契約案の情報及び前記読み出した新リースに関する情報を含む新契約情報を記憶する新契約情報記憶手段と、この記憶された新契約情報を読み出して、前記転リース会社の端末に送信する新契約情報送信手段と、を有し、前記転リース会社の端末は、前記新契約情報を受け取って記憶する受取契約情報記憶手段と、前記受取契約情報記憶手段に記憶された前記新契約情報を読み出して、該新契約情報に基づいて、前記リース料総額を預り金として処理し、この預り金から、リース料相当額を支払い期限毎にリース料収入に振り替えるようにした、前記ユーザーと前記転リース会社との間の転リース契約案を作成する転リース契約案作成手段と、前記転リース契約案の情報を記憶する転リース契約案記憶手段と、この転リース契約案記憶手段から、前記転リース契約案情報を読み出して、前記リース会社のサーバーに送信する転リース契約案情報送信手段と、を有し、前記リース会社のサーバーは、前記転リース契約案情報送信手段から受け取った転リース契約案の情報を記憶する転リース契約案情報記憶手段と、前記記憶された転リース契約案情報を読み出して、該情報に基づいて、前記リース料総額を預り金として処理し、この預り金から、リース料相当額を支払い期限毎にリース料収入に振り替えるようにした、前記転リース会社とリース会社との間のリース契約案を作成するリース契約案作成手段と、このリース契約案の情報を記憶するリース契約案記憶手段と、前記記憶されたリース契約案の情報を読み出して、当該車種の自動車について、納車先を前記ユーザーとして、前記自動車を扱う自動車ディーラーへの自動車発注情報を作成する自動車発注情報作成手段と、前記自動車発注情報を記憶する自動車発注情報記憶手段と、を有することを特徴とする自動車リース・ローン複合契約実行システム。
【００１６】
（７）前記自動車ディーラーのディーラー端末を有してなり、前記リース会社のサーバーは、前記自動車発注情報記憶手段に記憶された前記自動車発注情報を読み出して、前記ディーラー端末へ送信する自動車発注情報送信手段を有し、このディーラー端末は、前記リース会社のサーバーが送信した前記自動車発注情報を受け取って受注情報として記憶する自動車受注情報記憶手段と、この受注情報を読み出して、前記ユーザーへの納車スケジュールを作成する納車スケジュール作成手段と、を有することを特徴とする（６）に記載の自動車リース・ローン複合契約案作成システム。
【００１７】
（８）前記金融機関の端末は、前記ユーザーのローン支払の停止を含む債権事故の情報を受け付けて記憶する事故情報記憶手段と、前記事故情報記憶手段が記憶した事故情報を読み出して前記リース会社のサーバーに送信する事故情報送信手段と、を有し、前記リース会社のサーバーは、前記事故情報送信手段から受け取った事故情報を記憶する受取事故情報記憶手段と、前記記憶された受取事故情報を読み出して、前記自動車を前記ユーザーから引き揚げて、これを売却し、且つ、売却代金によるリースの設定残価への充当、前記ユーザーの未払いローン債務への充当及びユーザーへの返金をこの順で実行するための回収・売却手続情報を作成する事故時回収・売却手続情報作成手段と、を有することを特徴とする（６）または（７）に記載の自動車リース・ローン複合契約実行システム。
【００１８】
（９）前記転リース会社の端末は、前記ユーザーからの、前記自動車のリース期間満了前の早期返却の申込みを入力する早期返却申込み情報受付手段と、この早期返却申込み情報受付手段により入力された前記早期返却申込みに係る情報を記憶する早期返却申込み情報記憶手段と、この記憶された早期返却申込み情報を前記金融機関の端末及び前記リース会社のサーバーに送信する早期返却情報送信手段と、を有し、前記金融機関の端末は、前記早期返却情報送信手段が送信した早期返却申込み情報を受取って、早期返却情報として記憶する早期返却情報記憶手段と、この早期返却情報記憶手段に記憶された早期返却情報に基づいて、前記ユーザーに対して、ローン残金の一括返済を請求する一括返済請求書案を作成する一括返済請求書案作成手段と、を有し、前記リース会社のサーバーは、前記早期返却情報送信手段が送信した早期返却申込み情報を受取って、早期返却情報として記憶する早期返却情報記憶手段と、を有することを特徴とする（６）乃至（８）のいずれかに記載の自動車リース・ローン複合契約案作成システム。
【００１９】
（１０）前記リース会社のサーバーは、前記早期返却情報記憶手段に記憶された前記早期返却情報を読み出して、前記自動車を前記ユーザーから引き揚げて、これを売却し、且つ、売却代金によるリースの設定残価への充当及びユーザーへの返金をこの順で実行するための回収・売却手続情報を作成する早期返却時回収・売却手続情報作成手段と、を有することを特徴とする（９）に記載の自動車リース・ローン複合契約実行システム。
【００２０】
（１１）前記自動車発注情報作成手段は、前記自動車発注情報の作成の際に、前記ユーザー、車種を含むメンテナンス情報を作成し、前記リース会社のサーバーは、前記作成されたメンテナンス情報を記憶するメンテナンス情報記憶手段と、この記憶されたメンテナンス情報を読み出して、メンテナンススケジュールを作成するメンテナンススケジュール作成手段と、を有してなることを特徴とする（１）乃至（１０）のいずれかに記載の自動車リース・ローン複合契約実行システム。
【発明の効果】
【００２１】
本発明によれば、金融機関が、その個人向け融資のノウハウを用いてユーザーの信用を調査し、容易に金銭消費貸借契約をユーザーと結んで必要な金員を貸し付けることができる。
【００２２】
リース会社にとっては、ユーザーの信用調査が不要となり、また、リース料総額を預り金として予め受け取ることができるので、債権事故が生じても、リース料全額を回収することができる。
【００２３】
また、ユーザーにとっては、金融機関に対する信用に基づいて、リース会社から容易に自動車を借り受けることができる。
【図面の簡単な説明】
【００２４】
【図１】本発明の実施例１に係る自動車リース・ローン複合契約実行システムの構成を示すブロック図
【図２】同システムの一部を構成するリース会社のサーバーを示すブロック図
【図３】同システムの一部を構成する金融機関の端末を示すブロック図
【図４】同システムの一部を構成するディーラー端末を示すブロック図
【図５】上記金融機関の端末におけるリース・ローン情報の例を示す図
【図６】上記金融機関の端末からリース会社のサーバーに送られる金銭消費貸借契約案の例を示す図
【図７】上記リース会社のサーバーに記憶される債権事故の情報の例を示す図
【図８】上記リース会社のサーバーに記憶される早期返却申込み情報の例を示す図
【図９】上記金融機関の端末において作成される一括返済請求書案の例を示す図
【図１０】上記リース会社のサーバーにおいて作成されるリース契約案の例を示す図
【図１１】上記リース会社のサーバーにおいて作成される自動車発注情報の例を示す図
【図１２】上記リース会社のサーバーにおいて作成される事故時回収・売却手続情報による処理過程を示すフローチャート
【図１３】上記リース会社のサーバーにおいて作成されるメンテナンス情報の例を示す図
【図１４】上記リース会社のサーバーにおいて作成される自動車メンテナンスのスケジュールの例を示す図
【図１５】上記ディーラー端末において作成される納車スケジュールの例を示す図
【図１６】上記実施例１に係る自動車リース・ローン複合契約実行システムにおける情報処理の流れを示すフローチャート
【図１７】実施例１に係るシステムにおいて債権事故が発生した場合の情報処理の流れを示すフローチャート
【図１８】実施例１に係るシステムにおいて自動車の早期返却申込みがあった場合の情報処理の流れを示すフローチャート
【図１９】本発明の実施例２に係る自動車リース・ローン複合契約実行システムの構成を示すブロック図
【図２０】実施例２に係るシステムにおける転リース会社端末を示すブロック図
【図２１】実施例２における転リース契約案の例を示す図
【図２２】実施例２に係るシステムにおけるリース会社のサーバーを示すブロック図
【図２３】実施例２に係るシステムにおける情報処理の流れを示すフローチャート
【図２４】実施例２に係るシステムにおいて、債権事故が発生した場合の情報処理の流れを示すフローチャート
【図２５】実施例２に係るシステムにおいて自動車の早期返却申込みがあった場合の情報処理の流れを示すフローチャート
【発明を実施するための形態】
【００２５】
以下、図面を参照して本発明の実施形態を詳細に説明する。
【実施例１】
【００２６】
図１に示されるように、実施例１に係る自動車リース・ローン複合契約実行システム（以下システム）１０は、各々が、例えばインターネット１２からなる通信回線に接続されたリース会社サーバー２０と、金融機関端末５０と、ディーラー端末７０とから構成されている。図１の符号１４はユーザーを示す。
【００２７】
図２に示されるように、リース会社サーバー２０は制御手段３０と、ＩＦ（インターフェース）手段２０Ａと、各種のプログラムや情報を記憶する記憶装置２０Ｂとを備えている。
【００２８】
また、ＩＦ手段２０Ａには、前記インターネット１２、キーボード２０Ｃ、ディスプレイ２０Ｄ、プリンタ２０Ｅがそれぞれ接続されている。
【００２９】
前記記憶装置２０Ｂには、リース・ローン情報記憶手段２１と、受取契約情報記憶手段２２と、リース契約案記憶手段２３と、自動車発注情報記憶手段２４と、受取事故情報記憶手段２５と、事故時回収・売却手続情報記憶手段２６と、早期返却申込み情報記憶手段２７と、一括返済請求書案記憶手段２８と、メンテナンス情報記憶手段２９とが含まれている。
【００３０】
また、制御手段３０には、ディーラー情報受付機能３１と、リース・ローン情報作成手段３２と、受取契約情報受付機能３３と、リース契約案作成手段３４と、自動車発注情報作成手段３５と、自動車発注情報送信機能３６と、事故情報受付機能３７と、事故時回収・売却手続情報作成手段３８と、早期返却申込み情報受付機能３９と、早期返却情報送信機能４０と、早期返却時回収・売却手続情報作成手段４１と、メンテナンススケジュール作成手段４２とが含まれている。
【００３１】
上記各機能３１、３３、３６、３７、３９、４０は、それぞれＩＦ手段２０Ａと共に、対応する手段を形成する。例えばディーラー情報受付機能３１はＩＦ手段２０Ａと共にディーラー情報受付手段を構成する。
【００３２】
また、図３に示されるように、前記金融機関端末５０には、制御手段６０と、ＩＦ手段５０Ａと、記憶装置５０Ｂとが含まれている。
【００３３】
前記ＩＦ手段５０Ａには、インターネット１２、キーボード５０Ｃ、ディスプレイ５０Ｄ、プリンタ５０Ｅがそれぞれ接続されている。
【００３４】
記憶装置５０Ｂには、リース・ローン情報記憶手段５１と、新契約情報記憶手段５２と、事故情報記憶手段５３と、早期返却情報記憶手段５４と、一括返済請求書案記憶手段５５とが含まれている。
【００３５】
制御手段６０には、リース・ローン情報受付機能６１と、金銭消費貸借契約案作成手段６２と、新契約情報送信機能６３と、事故情報受付機能６４と、事故情報送信機能６５と、早期返却申込み情報受付機能６６と、一括返済請求書案作成手段６７とが含まれている。
【００３６】
上記各機能６１、６３、６４、６５、６６は、それぞれＩＦ手段５０Ａと共に、対応する手段を形成する。例えばリース・ローン情報受付機能６１はＩＦ手段５０Ａと共にリース・ローン情報受付手段を構成する。
【００３７】
図４に示されるように、ディーラー端末７０には、制御手段８０と、ＩＦ手段７０Ａと、記憶装置７０Ｂとが含まれている。
【００３８】
また、ＩＦ手段７０Ａには、インターネット１２、キーボード７０Ｃ、ディスプレイ７０Ｄ、プリンタ７０Ｅがそれぞれ接続されている。
【００３９】
記憶装置７０Ｂには、ディーラー情報記憶手段７１と、自動車受注情報記憶手段７２と、納車スケジュール記憶手段７３とが含まれている。
【００４０】
また、制御手段８０には、ディーラー情報作成手段８１と、ディーラー情報送信機能８２と、自動車発注情報受付機能８３と、納車スケジュール作成手段８４とが含まれている。
【００４１】
ディーラー情報送信機能８２、及び、自動車発注情報受付機能８３は、ＩＦ手段７０Ａと共に対応するディーラー情報送信手段と、自動車発注情報受付手段をそれぞれ構成している。
【００４２】
上記制御手段３０、６０及び８０は、コンピュータのＣＰＵ（中央制御装置）からなり、記憶装置２０Ｂ、５０Ｂ及び７０Ｂは、ＳＳＤ、ハードディスク、メモリーなどから構成されている。
【００４３】
次に、上記リース会社サーバー２０、金融機関端末５０、ディーラー端末７０のそれぞれの構成及びそれらの関連について詳細に説明する。
【００４４】
金融機関端末５０における制御手段６０のリース・ローン情報受付機能６１は、リース会社サーバー２０からインターネット１２を介して送信されたリース・ローン情報を、ＩＦ手段５０Ａを介して受け付けるようにされている。
【００４５】
このリース・ローン情報は、例えば、図５に示されるように、自動車の、車種毎の、車両取得価格、値引額、税抜の値引後価格、リース期間満了後のリース残価、ディーラーローンの情報を含むディーラー情報と、通常リースよりも手数料を少なくした新リースの各々の月次支払額及び、ローン元本の各情報を含んで構成されている。ディーラー情報は比較のための情報であるので、他に表示手段があればリース・ローン情報に含まれなくてもよい。また、リース・ローン情報には、比較のためリース会社の通常リースの情報を含むようにしてもよい。
【００４６】
記憶装置５０Ｂにおけるリース・ローン情報記憶手段５１は、リース・ローン情報受付機能６１が受け付けたリース・ローン情報を記憶するようにされている。
【００４７】
このリース・ローン情報記憶手段５１に記憶されたリース・ローン情報は、ＩＦ手段５０Ａを介して、ディスプレイ５０Ｄに表示され、金融機関のユーザーが新リースと、従来の通常のリースやローンと比較できるようにされている。
【００４８】
ユーザーが車種を選択したとき、キーボード５０Ｃからその車種やユーザー個人情報を入力すると、制御手段６０の金銭消費貸借契約案作成手段６２が、例えば図６に一部が示されるような、前記選択された車種に対応する前記新リースによるリース料総額をユーザーに対する給付額とする金銭消費貸借契約案を作成するようにされている。金銭消費貸借契約書は、キーボード５０Ｃからの操作によって、プリンタ５０Ｅによりプリントアウトされる。
【００４９】
記憶装置５０Ｂにおける新契約情報記憶手段５２は、金銭消費貸借契約案作成手段６２によって作成された金銭消費貸借契約案の情報及び前記読み出した新リースに関する情報を含む新契約情報を記憶するようにされている。
【００５０】
制御手段６０における新契約情報送信機能６３は、新契約情報記憶手段５２に記憶された金銭消費貸借契約案及び読み出した新リースに関する情報を含む新契約情報を、ＩＦ手段５０Ａ及びインターネット１２を介して、リース会社サーバー２０に送信するようにされている。
【００５１】
また制御手段６０は、キーボード５０Ｃあるいはインターネット１２から、ＩＦ手段５０Ａを介して入力される、例えば図７に示されるような、ユーザーのローン支払の停止を含む債権事故の情報を受け付ける事故情報受付機能６４を有している。この情報はユーザー及び契約を特定できる情報、不払日、ローン契約解除日、一括請求額などの情報を含んでいる。記憶装置５０Ｂにおける事故情報記憶手段５３は、事故情報受付機能６４によって、ＩＦ手段５０Ａを介して受け付けられた債権事故の情報を記憶するようにされている。
【００５２】
制御手段６０における事故情報送信機能６５は、事故情報記憶手段５３に記憶された事故情報を読み出して、ＩＦ手段５０Ａを経てインターネット１２を介してリース会社サーバー２０に送信するようにされている。
【００５３】
制御手段６０における早期返却申込み情報受付機能６６は、リース会社サーバー２０の早期返却情報送信機能４０から送信された、例えば図８に示されるような、リース契約を特定できる情報、返却日（解約日）の情報を含む、リース対象の自動車のリース期間の満了前の早期返却申込み情報を、ＩＦ手段５０Ａを介して受け付けるようにされている。
【００５４】
記憶装置５０Ｂにおける早期返却情報記憶手段５４は、早期返却申込み情報受付機能６６によって受け付けられた早期返却申込み情報を早期返却情報として記憶するようにされている。
【００５５】
制御手段６０における一括返済請求書案作成手段６７は、早期返却情報記憶手段５４に記憶された早期返却情報に基づいて、例えば図９に示されるような、ユーザーに対してローン残金の一括返済を請求する一括返済請求書案を作成するようにされている。
【００５６】
この一括返済請求書案に基づいて、キーボード５０Ｃからの操作によって、プリンタ５０Ｅにより一括返済請求書をプリントアウトすることができるようにされている。
【００５７】
リース会社サーバー２０のディーラー情報受付機能３１は、ディーラー端末７０の、ディーラー情報送信機能８２により、インターネット１２を介して送信されたディーラー情報を、ＩＦ手段２０Ａを介して受け付けるようにされている。
【００５８】
制御手段３０におけるリース・ローン情報作成手段３２は、前記受け付けたディーラー情報に、リース会社の通常リース、前記通常リースよりも手数料を少なくした新リースの各々の月次支払額及び、ローン元本の各情報を加えたリース・ローン情報を作成するようにされている。
【００５９】
また、リース・ローン情報作成手段３２は、インターネット１２を介して金融機関端末５０のリース・ローン情報受付手段に送信するようにされている。
【００６０】
リース会社サーバー２０の受取契約情報受付機能３３は、金融機関端末５０からインターネット１２を介して送信される新契約情報を、ＩＦ手段２０Ａを介して受け取るようにされている。
【００６１】
記憶装置２０Ｂにおける受取契約情報記憶手段２２は、受取契約情報受付機能３３を介して受け付けられた新契約の情報を記憶するようにされている。
【００６２】
制御手段３０におけるリース契約案作成手段３４は、受取契約情報記憶手段２２に記憶された新契約情報を読み出して、これに基づいて、新リースにおけるリース料総額を預り金として処理し、この預り金からリース料相当額を支払期限毎にリース料収入に振り替えるようにした、前記ユーザーとリース会社との間の、リース契約案を作成するようにされている。ここで、リース契約書は大部分が定型文であり、リース契約案作成手段３４は、主として、例えば図１０に示されるようなリース契約案中の契約要目表を作成する。
【００６３】
記憶装置２０Ｂにおけるリース契約案記憶手段２３は、リース契約案作成手段３４によって作成された新リースの契約案を記憶するようにされている。
【００６４】
制御手段３０における自動車発注情報作成手段３５は、リース契約案記憶手段２３に記憶されたリース契約案情報を読み出して、対象となる車種の自動車について、納車先を前記ユーザーとして、前記自動車を扱う自動車ディーラーへの自動車発注情報（例えば図１１参照）を作成するようにされている。
【００６５】
記憶装置２０Ｂにおける自動車発注情報記憶手段２４は、自動車発注情報作成手段３５によって作成された自動車発注情報を記憶するようにされている。
【００６６】
制御手段３０における自動車発注情報送信機能３６は、自動車発注情報記憶手段２４に記憶された自動車発注情報を読み出して、ＩＦ手段２０Ａを介してディーラー端末７０に送信するようにされている。
【００６７】
制御手段３０における事故情報受付機能３７は、金融機関端末５０の事故情報送信機能６５を経て送信された事故情報を、ＩＦ手段２０Ａを介して受け付け、また記憶装置２０Ｂにおける受取事故情報記憶手段２５は、前記受け付けられた事故情報を記憶するようにされている。
【００６８】
制御手段３０における事故時回収・売却手続情報作成手段３８は、受取事故情報記憶手段２５に記憶された事故情報を読み出して、対象となる自動車をユーザーから引き揚げて、これを売却し、且つ、売却代金を先ずリースの設定残価への充当、次に金融機関に対する該ユーザーの未払いローン債務に充当し、更に余りがあればユーザーに返金するための、例えば図１２に示されるように、ステップ７０１〜７０８で示される処理の流れとなる事故時回収・売却手続情報を作成するようにされている。
【００６９】
この事故時回収・売却手続情報は、記憶装置２０Ｂにおける事故時回収・売却手続情報記憶手段２６に記憶されるようになっている。
【００７０】
制御手段３０における早期返却申込み情報受付機能３９は、ユーザーからの、前記図８に示されるのと同様の、早期返却の申込みを、ＩＦ手段２０Ａを介して受け付けるようにされている。
【００７１】
この受け付けられた早期返却申込みに係る早期返却情報は、記憶装置２０Ｂにおける早期返却申込み情報記憶手段２７に記憶されるようになっている。
【００７２】
制御手段３０における早期返却情報送信機能４０は、早期返却申込み情報記憶手段２７から読み出した早期返却申込み情報を、ＩＦ手段２０Ａを経て、インターネット１２を介して、金融機関端末５０に送信するようにされている。
【００７３】
制御手段３０における早期返却時回収・売却手続情報作成手段４１は、早期返却申込み情報記憶手段２７に記憶された早期返却申込み情報を読み出して、自動車をユーザーから引き揚げて、これを売却し、且つ、売却代金を、リース設定残価への充当、余りをユーザーに返金するための、例えば図１２に示されるのと同様の処理の流れからステップ７０６、７０７を省略した流れとなる、回収・売却手続情報を作成するようにされている。この場合、図１２のステップ７０１は、「早期返却申込み情報を読み出し」と読み替えるものとする。
【００７４】
また、制御手段３０における自動車発注情報作成手段３５は、自動車発注情報作成の際に、ユーザー、車種を含む、例えば図１３に示されるような、メンテナンス情報を作成するようにされている。
【００７５】
記憶装置２０Ｂにおけるメンテナンス情報記憶手段２９は、前記作成されたメンテナンス情報を記憶するようにされ、制御手段３０におけるメンテナンススケジュール作成手段４２は、メンテナンス情報記憶手段２９に記憶されたメンテナンス情報に基づいて、自動車の定期点検等の、例えば図１４に示されるような、メンテナンススケジュールを作成するようにされている。
【００７６】
ディーラー端末７０における制御手段８０の一部を構成するディーラー情報作成手段８１は、金融機関端末５０のリース・ローン情報記憶手段５１に記憶されるリース・ローン情報の一部であるディーラー情報を作成するようにされている。
【００７７】
このディーラー情報は、前述のように、自動車の、車種毎の、車両取得価格、値引額、税抜の値引後価格及びディーラーローンの情報を含むものである。
【００７８】
ディーラー情報作成手段８１によって作成されたディーラー情報は、ディーラー情報記憶手段７１に記憶されるようになっている。
【００７９】
制御手段８０におけるディーラー情報送信機能８２は、ＩＦ手段７０Ａと共にディーラー情報記憶手段７１に記憶されたディーラー情報を読み出して、インターネット１２を介して、リース会社サーバー２０に送信するようにされている。
【００８０】
制御手段８０における自動車発注情報受付機能８３は、ＩＦ手段７０Ａと共に、自動車発注情報受付手段を構成し、リース会社サーバー２０における自動車発注情報送信機能３６により送信された自動車発注情報をインターネット１２経由で受け取るようにされている。
【００８１】
記憶装置７０Ｂにおける自動車受注情報記憶手段７２は、自動車発注情報受付機能８３によって受け付けられた自動車発注情報を受注情報として記憶するようにされている。
【００８２】
制御手段８０における納車スケジュール作成手段８４は、自動車受注情報記憶手段７２に記憶された自動車受注情報を読み出して、例えば図１５に示されるような、ユーザーへの納車スケジュールを作成するようにされている。
【００８３】
この納車スケジュールは、納車スケジュール記憶手段７３に記憶されるようになっている。
【００８４】
次に、図１６を参照して、上記実施例１に係る自動車リース・ローン複合契約実行システムにおける情報処理の流れを説明する。
【００８５】
ステップ１０１において、まず、リース会社サーバー２０において、ディーラー情報受付機能３１により受け付けたディーラー情報に、新リースの情報を加えて、リース・ローン情報作成をする。
【００８６】
ステップ１０２において、リース会社サーバー２０から送信されたリース・ローン情報が、金融機関で受け付けられる。
【００８７】
ステップ１０３においては、金融機関において、リース・ローン情報をユーザーに表示する。
【００８８】
ステップ１０４において、ユーザーが選択した車種に対応するリース・ローン情報を読み出し、次のステップ１０５において、当該ユーザーとの間の金銭消費貸借契約案を作成する。
【００８９】
ステップ１０６において、上記金銭消費貸借契約案と新リースの情報が、リース会社サーバー２０に送信される。
【００９０】
ステップ１０７において、リース会社サーバー２０においては、受信した情報を記憶すると共に、その情報に基づいて、リース契約案を作成する。
【００９１】
ステップ１０８において、ユーザーとの間で上記リース契約が成立した時、その情報を金融機関端末５０に送信する。
【００９２】
次に、ステップ１０９において、金融機関とユーザーとの間に金銭消費貸借契約が成立した時、金融機関端末５０は、金銭消費貸借契約の成立をリース会社サーバー２０に送信する。
【００９３】
ステップ１１０において、金融機関は、金銭消費貸借契約に基づいて、総リース料相当額をユーザーに貸し付ける。
【００９４】
次のステップ１１１において、ユーザーがリース料総額をリース会社に一括払いする。
【００９５】
ステップ１１２において、リース会社サーバー２０においては、対象車種の自動車の発注情報を、ディーラー端末７０に送信する。
【００９６】
ディーラー端末７０においては、ステップ１１３において納車スケジュールを作成し、ステップ１１４においてユーザーに納車する。
【００９７】
ステップ１１５においては、ユーザーから金融機関へのローン返済が開始され、同時にリース会社サーバー２０において、支払期限毎にリース料相当額をリース料収入に振り替える手続を繰り返すと共に、ステップ１１６では、自動車のメンテナンススケジュール作成手段４２によってメンテナンススケジュールが作成され、このメンテナンススケジュールに従って、リース会社は自動車の定期点検等を実行することになる。
【００９８】
次に図１７を参照して、金融機関とユーザーとの間において、ローン返済が滞るような債権事故が発生した場合について説明する。
【００９９】
債権事故が発生した場合は、ステップ２０１において、金融機関端末５０にて事故情報を受け付ける。
【０１００】
次のステップ２０２において、事故情報をリース会社サーバー２０に送信する。
【０１０１】
ステップ２０３において、リース会社サーバー２０にて事故情報が受け付けられる。
【０１０２】
ステップ２０４では、リース会社サーバー２０において、事故情報に基づいて、事故時回収・売却手続情報を作成し、手続を開始する。
【０１０３】
ステップ２０５において、前記事故時回収・売却手続情報に基づいて、リース会社は物件をユーザーから引き揚げてこれを売却する。
【０１０４】
次にステップ２０６において、上記売却代金を、リースの設定残価に充当後、余りがあれば金融機関に弁済し、更に余りがあればユーザーに返却する。
【０１０５】
次に、図１８を参照して、ユーザーからリース会社に対して自動車を、リース期間満了前に返却する申し出があったときの処理について説明する。
【０１０６】
まず、ステップ３０１において、リース会社サーバー２０にて、ユーザーからの早期返却申込みを受け付ける。
【０１０７】
ステップ３０２において、リース会社サーバー２０から金融機関端末５０に、早期返却申込み情報を送信する。
【０１０８】
ステップ３０３において、金融機関端末５０は早期返却申込み情報を受け付けて、ユーザーに対する、ローン返済金の一括返済請求書を作成する。
【０１０９】
ステップ３０４において、リース会社サーバー２０は、受け付けた早期返却申込みに対応して、早期返却時回収・売却手続情報を作成して、手続を開始する。
【０１１０】
ステップ３０５において、リース会社は物件をユーザーから引き揚げて売却し、ステップ３０６において、売却代金をリースの設定残価に充当し、余りがあればユーザーに返却する。
【実施例２】
【０１１１】
次に図１９に示される本発明の実施例２に係る、自動車リース・ローン複合契約実行システム１０Ａについて説明する。
【０１１２】
この実施例２は、実施例１のシステムにおける、リース会社とユーザーとの間に転リース会社を介在させたものであり、この場合、ユーザーは、転リース会社に対してリースの申込みをし、これに基づいて転リース会社とリース会社との間でリース契約（１次リース契約）が交わされることになる。そして、ユーザーは転リース会社と転リース契約（２次リース契約）を交わすことになる。
この実施例２においては、リース物件である自動車は、その所有者であるリース会社から転リース会社を介してユーザーに貸与されることになる。また、金融機関端末５０に対する情報のやり取りは、リース会社サーバー１２０及び転リース会社端末９０が必要に応じて実行することになる。
【０１１３】
また、ディーラー端末７０と転リース会社端末９０との情報のやり取りは無く、ディーラー端末７０はリース会社サーバー１２０のみと情報のやり取りを実行することになる。
【０１１４】
従って、実施例２における金融機関端末は、実施例１の金融機関端末の送受信相手としてリース会社サーバーに転リース会社端末９０が加わることを除き、構成上実質的に同一であるので、符号５０を以って示す。
【０１１５】
また、ディーラー端末は、実施例１のディーラー端末と同一であるので、同一の符号７０を以って示す。
【０１１６】
実施例２における転リース会社端末９０は、図２０に示されるように、ＩＦ手段９０Ａと、制御手段１００と、記憶装置９０Ｂとを有してなり、ＩＦ手段９０Ａには、インターネット１２、キーボード９０Ｃ、ディスプレイ９０Ｄ、及びプリンタ９０Ｅが接続されている。
【０１１７】
制御手段１００は、リース・ローン情報受付機能１０１、リース・ローン情報送信機能１０２、契約情報受付機能１０３、転リース契約案情報送信機能１０５、受取事故情報受付機能１０６、事故時回収・売却手続情報受付機能１０８、早期返却申込み情報受付機能１０９、早期返却情報送信機能１１０、早期返却時回収・売却手続情報受付機能１１１、一括返済請求書案受付機能１１２を有し、これらの機能はそれぞれ、ＩＦ手段９０Ａと共に対応する手段を構成する。例えば、リース・ローン情報受付機能１０１は、ＩＦ手段９０Ａと共にリース・ローン情報受付手段を構成する。
【０１１８】
また、制御手段１００は、転リース契約案作成手段１０４を有する。
【０１１９】
記憶装置９０Ｂには、リース・ローン情報記憶手段９１、受取契約情報記憶手段９２、転リース契約案記憶手段９３、受取事故情報記憶手段９４、事故時回収・売却手続情報記憶手段９５、早期返却申込み情報記憶手段９６、及び、一括返済請求書案記憶手段９７とを有している。
【０１２０】
ここで、例えば図２１に一部が示される転リース契約案に基づいて、転リース会社とユーザーとの間での転リース契約が交わされる。
【０１２１】
リース会社サーバー１２０は、図２２に示されるように、ＩＦ手段１２０Ａと、制御手段１４０と、記憶装置１２０Ｂとを備えて構成されている。
【０１２２】
ＩＦ手段１２０Ａには、インターネット１２、キーボード１２０Ｃ、ディスプレイ１２０Ｄ、プリンタ１２０Ｅがそれぞれ接続されている。
【０１２３】
制御手段１４０における、ディーラー情報受付機能１４１、転リース契約案情報受付機能１４３、自動車発注情報送信機能１４６、事故情報受付機能１４７、早期返却情報受付機能１４９、早期返却時回収・売却手続情報作成手段１５０を備えている。これらの機能は、いずれも、ＩＦ手段１２０Ａと共に対応する手段を構成する。例えば、ディーラー情報受付機能１４１は、ＩＦ手段１２０Ａと共に、ディーラー情報受付手段を構成する。
【０１２４】
また、制御手段１４０は、リース・ローン情報作成手段１４２、リース契約案作成手段１４４、自動車発注情報作成手段１４５、事故時回収・売却手続情報作成手段１４８、及び、メンテナンススケジュール作成手段１５１を備えて構成されている。
【０１２５】
記憶装置１２０Ｂは、リース・ローン情報記憶手段１２１、転リース契約案情報記憶手段１２２、リース契約案記憶手段１２３、自動車発注情報記憶手段１２４、受取事故情報記憶手段１２５、事故時回収・売却手続情報記憶手段１２６、早期返却情報記憶手段１２７、一括返済請求書案記憶手段１２８、メンテナンス情報記憶手段１２９、及び、早期返却時回収・売却手続情報記憶手段１３０を備えて構成されている。ここで、リース契約案とは、転リース会社とリース会社との間のリース契約案を示す。
【０１２６】
転リース会社端末９０の制御手段１００における、受取事故情報受付機能１０６の「受取事故情報」は、転リース会社端末９０が、リース会社サーバー１２０、金融機関端末５０から受け取った事故情報という意味である。
【０１２７】
また、リース会社サーバー１２０の受取事故情報記憶手段１２５における「受取事故情報」は、リース会社サーバー１２０が金融機関端末５０から受け取った事故情報という意味である。
【０１２８】
転リース会社端末９０及びリース会社サーバー１２０の構成において、実施例１のリース会社サーバー２０の構成と同一部分には、同一用語を用いることによって説明を省略する。
【０１２９】
次に、図２３を参照して、上記実施例２に係る自動車リース・ローン複合契約実行システムにおける情報処理の流れを説明する。
【０１３０】
ステップ４０１において、まず、リース会社サーバー１２０において、ディーラー情報受付機能１４１により受け付けたディーラー情報に、新リースの情報を加えて、リース・ローン情報作成をする。
【０１３１】
ステップ４０２において、リース・ローン情報を転リース会社端末９０を経由して金融機関端末５０に送信し、金融機関端末５０はこれを受け付け、ステップ４０３において、金融機関にてリース・ローン情報をユーザーに表示する。
【０１３２】
ステップ４０４において、ユーザーが表示されたリース・ローン情報を見て、希望の車種を選択し、選択した車種に対応するリース・ローン情報を読み出す。
【０１３３】
ステップ４０５において、読み出されたリース・ローン情報に基づいて、ユーザーと金融機関との間の金銭消費貸借契約案を作成し、ステップ４０６において、上記金銭消費貸借契約案と新リースの情報を、転リース会社端末９０に送信する。
【０１３４】
ステップ４０７において、転リース会社端末９０においては、上記送信された情報を受信して、これを記憶すると共に、その情報に基づいて、転リース契約案を作成する。ステップ４０８において、作成された転リース契約案の情報をリース会社サーバー１２０に送信する。
【０１３５】
ステップ４０９において、リース会社サーバー１２０で転リース契約案に基づいて、リース契約案を作成する。
【０１３６】
ステップ４１０において、金融機関では、ユーザー１４との間で金銭消費貸借契約を成立させ、ステップ４１１において、金融機関端末５０が、金銭消費貸借契約の成立を転リース会社端末９０に送信する。
【０１３７】
転リース会社端末９０は、上記転リース契約の成立をリース会社サーバー１２０に送信する。
【０１３８】
次のステップ４１３において、金融機関は、総リース料相当額をユーザーに貸し付け、ステップ４１４において、ユーザーは貸し付けられた金員を、リース料として転リース会社に一括払いする。
【０１３９】
ステップ４１５において、転リース会社は、リース会社にリース契約のリース料総額を一括払いし、この一括払いがあったとき、ステップ４１６において、リース会社サーバー１２０は、対象車種の自動車の発注情報をディーラー端末７０に送信する。
【０１４０】
ディーラー端末７０では、受け取った自動車発注情報に基づいて、ステップ４１７において納車スケジュールを作成し、ステップ４１８においてユーザーに対象の自動車を納車する。これにより、ユーザーは、ステップ４１９において金融機関へのローン返済を開始する。また、転リース会社端末９０及びリース会社サーバー１２０では、初回のリース料を預り金からリース料収入に振り替える手続を開始する。
【０１４１】
一方、ステップ４２０において、リース会社サーバー１２０では、自動車メンテナンスのスケジュールを作成・記憶する。
【０１４２】
次に、図２４を参照して、金融機関とユーザーとの間において、ローン返済が滞るような債権事故が発生した場合について説明する。
【０１４３】
債権事故が発生した場合は、ステップ５０１において、金融機関端末５０にて事故情報を受け付ける。
【０１４４】
次のステップ５０２において、事故情報をリース会社サーバー１２０に送信する。
【０１４５】
ステップ５０３において、リース会社サーバー１２０において事故情報が受け付けられ、次のステップ５０４において、この事故情報は受取事故情報記憶手段１２５に記憶される。
【０１４６】
ステップ５０５では、リース会社サーバー１２０が、事故情報に基づいて、事故時回収・売却手続情報を作成し、リース会社は事故時回収・売却手続を開始する。
【０１４７】
ステップ５０６において、前記事故時回収・売却手続情報に基づいて、リース会社は物件をユーザーから引き揚げてこれを売却し、ステップ５０７において、上記売却代金をリース設定残価に充当し、リース設定残価を上回った場合は、金融機関に対するローン残債があればこれに充当し、更に残ればユーザーに返金する。
【０１４８】
次に、図２５を参照して、ユーザーから転リース会社に対して自動車をリース期間満了前に返却する申し出があったときの処理について説明する。
【０１４９】
まず、ステップ６０１において、転リース会社端末９０にて、ユーザーからの早期返却申込みを受け付ける。
【０１５０】
ステップ６０２において、転リース会社端末９０から、早期返却申込み情報をリース会社サーバー１２０及び金融機関端末５０に送信する。
【０１５１】
なお、実施例２では、金融機関端末５０から直接リース会社サーバー１２０に事故情報を送信しているが、これは、自動車をユーザーから迅速に引き揚げるためにリース会社サーバー１２０に優先して送信するものであり、転リース会社端末９０には、リーズ会社サーバー１２０から送信してもよいし、金融機関端末５０からリース会社サーバー１２０と同時、又は後で転リース会社端末９０に送信してもよい。
【０１５２】
ステップ６０３において、金融機関端末５０は、早期返却申込み情報を受け付けて、ユーザーに対して、ローン返済金の一括返済請求書を作成する。
【０１５３】
ステップ６０４において、リース会社サーバー１２０では、早期返却時回収・売却手続情報を作成し、次のステップ６０５では、リース会社は、上記作成された早期返却時回収・売却手続情報に基づいて、リース対象である物件（自動車）を回収・売却する手続に入り、ステップ６０６で、引き揚げた自動車の売却代金をリース設定残価に充当し、余りがあればユーザーに返却する。
【０１５４】
上記実施例において、リース会社サーバー１２０において作成されたリース・ローン情報は、インターネット１２を介して直接または転リース会社端末９０を介して金融機関端末５０に送信されるようになっているが、本発明はこれに限定されるものではなく、通信回線を介することなく、リース・ローン情報を金融機関に供給して、金融機関がこれを金融機関端末５０にて受け付けて、ディスプレイに表示できるようにしても良い。また、リース・ローン情報は、金融機関端末５０で直接作成するようにしても良い。
【産業上の利用可能性】
【０１５５】
この自動車リース・ローン複合契約実行システムによれば、ユーザーに対して低廉な月次支払額でかつ簡便に自動車をリースすることができる。
【符号の説明】
【０１５６】
１０、１０Ａ…自動車リース・ローン複合契約実行システム
１２…インターネット
１４…ユーザー
２０、１２０…リース会社サーバー
２０Ａ、５０Ａ、７０Ａ、９０Ａ、１２０Ａ…ＩＦ手段
２０Ｂ、５０Ｂ、７０Ｂ、９０Ｂ、１２０Ｂ…記憶装置
２１、５１、９１、１２１…リース・ローン情報記憶手段
２２、９２…受取契約情報記憶手段
２３、１２３…リース契約案記憶手段
２４、１２４…自動車発注情報記憶手段
２５、９４、１２５…受取事故情報記憶手段
２６、９５、１２６…事故時回収・売却手続情報記憶手段
２７、９６…早期返却申込み情報記憶手段
２８、５５、９７、１２８…一括返済請求書案記憶手段
２９、１２９…メンテナンス情報記憶手段
３０、６０、８０、１００、１４０…制御手段
３１、１４１…ディーラー情報受付機能
３２、１４２…リース・ローン情報作成手段
３３…受取契約情報受付機能
３４、１４４…リース契約案作成手段
３５、１４５…自動車発注情報作成手段
３６、１４６…自動車発注情報送信機能
３７、６４、１４７…事故情報受付機能
３８、１４８…事故時回収・売却手続情報作成手段
３９、６６、１０９…早期返却申込み情報受付機能
４０、１１０…早期返却情報送信機能
４１…早期返却時回収・売却手続情報作成手段
４２、１５１…メンテナンススケジュール作成手段
５０…金融機関端末
５２…新契約情報記憶手段
５３、９４…事故情報記憶手段
５４、１２７…早期返却情報記憶手段
６１、１０１…リース・ローン情報受付機能
６２…金銭消費貸借契約案作成手段
６３…新契約情報送信機能
６５…事故情報送信機能
６７…一括返済請求書案作成手段
７０…ディーラー端末
７１…ディーラー情報記憶手段
７２…自動車受注情報記憶手段
７３…納車スケジュール記憶手段
８１…ディーラー情報作成手段
８２…ディーラー情報送信機能
８３…自動車発注情報受付機能
８４…納車スケジュール作成手段
９０…転リース会社端末
９３…転リース契約案記憶手段
１０２…リース・ローン情報送信機能
１０３…契約情報受付機能
１０４…転リース契約案作成手段
１０５…転リース契約案情報送信機能
１０６…受取事故情報受付機能
１０８…事故時回収・売却手続情報受付機能
１１１…早期返却時回収・売却手続情報受付機能
１１２…一括返済請求書案受付機能
１２２…転リース契約案情報記憶手段
１３０…早期返却時回収・売却手続情報記憶手段
１４３…転リース契約案情報受付機能
１４９…早期返却情報受付機能
１５０…早期返却時回収・売却手続情報作成手段
【図１】
0005234677.tif 000002
【図２】
0005234677.tif 000003
【図４】
0005234677.tif 000004
【図５】
0005234677.tif 000005
【図６】
0005234677.tif 000006
【図７】
0005234677.tif 000007
【図８】
0005234677.tif 000008
【図９】
0005234677.tif 000009
【図１０】
0005234677.tif 000010
【図１１】
0005234677.tif 000011
【図１２】
0005234677.tif 000012
【図１３】
0005234677.tif 000013
【図１４】
0005234677.tif 000014
【図１５】
0005234677.tif 000015
【図１６】
0005234677.tif 000016
【図１７】
0005234677.tif 000017
【図１８】
0005234677.tif 000018
【図１９】
0005234677.tif 000019
【図２１】
0005234677.tif 000020
【図２２】
0005234677.tif 000021
【図２３】
0005234677.tif 000022
【図２４】
0005234677.tif 000023
【図３】
0005234677.tif 000024
【図２０】
0005234677.tif 000025
【図２５】
0005234677.tif 000026